(57)【要約】【課題】電気信号に含まれるスパイクノイズを元の波形形状を極力損なうことなく除去し得るノイズ除去回路およびノイズ除去方法を提供する。【解決手段】ノイズ除去回路１は、モータ駆動電流の変化を示す電圧変化信号を増幅して出力する差動増幅回路１１と、電圧変化信号に基づいて形成された制御信号を電流信号に変換するＶ／Ｉ変換部１２と、Ｖ／Ｉ変換部１２からの電流信号に基づいて差動増幅回路１１のテール電流を変化させ、差動増幅回路１１の増幅率を制御するカレントミラー回路１３と、を有し、電圧変化信号の電圧が大きくなるほど差動増幅回路１１の増幅率が小さくなるようにテール電流を制御する。電圧変化信号にスパイクノイズが含まれている場合は、テール電流を小さくして増幅率を制限することにより、スパイクノイズ部分の増幅量を抑え、スパイクノイズを除去した状態の信号を出力する。【選択図】図６
2019075900.tif 000002
【特許請求の範囲】
【請求項１】
電気信号からスパイク状の波形のノイズを除去するノイズ除去回路であって、
前記電気信号が入力され、前記電気信号を増幅する信号増幅部と、
前記電気信号の電圧に基づいて、前記信号増幅部における前記電気信号の増幅率を制御する増幅制御部と、を有し、
前記増幅制御部は、前記電気信号の電圧が大きくなるほど前記信号増幅部の増幅率が小さくなるように制限することを特徴とするノイズ除去回路。
【請求項２】
請求項１記載のノイズ除去回路において、
前記信号増幅部は、前記電気信号を増幅して出力する差動増幅回路を有し、
前記増幅制御部は、前記電気信号に基づいて形成された制御信号を電流信号に変換する信号変換部と、該信号変換部からの前記電流信号に基づいて前記差動増幅回路の制御電流を変化させ、前記信号増幅部の増幅率を制御するカレントミラー回路と、を有し、
前記増幅制御部は、前記差動増幅回路の出力が所定値を超えないように、前記カレントミラー回路によって前記制御電流を制御し、前記信号増幅部の増幅率を制限することを特徴とするノイズ除去回路。
【請求項３】
請求項２記載のノイズ除去回路において、
当該ノイズ除去回路の前段には、
前記電気信号から、そのリップル成分の中心値を電気信号の変化成分として抽出して出力する制御電圧発生回路と、
前記制御電圧発生回路の出力信号の波形を上下反転させて出力する信号反転回路と、が設けられ、
前記制御信号は、前記信号反転回路から出力され、前記信号変換部に入力されることを特徴とするノイズ除去回路。
【請求項４】
請求項１〜３の何れか１項に記載のノイズ除去回路において、
前記増幅制御部は、前記電気信号の電圧が所定値以上になると予見された場合、前記信号増幅部の増幅率を低減させることを特徴とするノイズ除去回路。
【請求項５】
電気信号からスパイク状の波形のノイズを除去するノイズ除去方法であって、
前記電気信号を増幅して出力する差動増幅回路と、
前記電気信号に基づいて形成された制御信号を電流信号に変換する信号変換部と、
該信号変換部からの前記電流信号に基づいて前記差動増幅回路の制御電流を変化させ、前記信号増幅部の増幅率を制御するカレントミラー回路と、を使用し、
前記差動増幅回路の出力が所定値を超えないように、前記電気信号の電圧が大きくなるほど前記信号増幅部の増幅率が小さくなるよう前記カレントミラー回路によって前記差動増幅回路の制御電流を制御し、前記差動増幅回路の増幅率を制限することを特徴とするノイズ除去方法。
【請求項６】
直流モータの電機子電流を検知し、その変化を電圧変化信号として出力する電流検出部と、該電流検出部の後段に配され、前記電機子電流に含まれるスパイク状の波形のノイズを除去するノイズ除去回路と、を有するモータ制御装置であって、
前記ノイズ除去回路は、
前記電圧変化信号を増幅する信号増幅部と、
前記電圧変化信号に基づいて形成された制御信号が入力され、前記電圧変化信号の電圧に基づいて、前記信号増幅部における前記電圧変化信号の増幅率を制御する増幅制御部と、を有し、
前記増幅制御部は、前記電圧変化信号の電圧が大きくなるほど前記信号増幅部の増幅率が小さくなるように制限することを特徴とするモータ制御装置。
【請求項７】
請求項６記載のモータ制御装置において、
前記信号増幅部は、前記電圧変化信号を増幅して出力する差動増幅回路を有し、
前記増幅制御部は、前記制御信号を電流信号に変換する信号変換部と、該信号変換部からの前記電流信号に基づいて前記差動増幅回路の制御電流を変化させ、前記信号増幅部の増幅率を制御するカレントミラー回路と、を有することを特徴とするモータ制御装置。
【発明の詳細な説明】
【技術分野】
【０００１】
本発明は、電気信号のノイズ除去技術に関し、特に、アナログ信号に混入するスパイク状のノイズの除去に好適なノイズ除去回路およびノイズ除去方法に関する。
【背景技術】
【０００２】
従来より、パルス信号や通信信号、音声信号、制御信号などの各種アナログ信号では、そこに混入するスパイク状の尖った波形のノイズ（以下、スパイクノイズと称する）を除去するため、ローパスフィルタなどのノイズフィルタが使用されている。たとえば、特許文献１には、ブラシ付きＤＣモータにおいて、いわゆるセンサレスポジショニングを行うに際し、ローパスフィルタを用いて電流リップル信号のノイズ除去を行う構成が記載されている。
【先行技術文献】
【特許文献】
【０００３】
【特許文献１】特開２０１５−２１１６３６号公報
【発明の概要】
【発明が解決しようとする課題】
【０００４】
しかしながら、スパイクノイズの除去に際し、たとえばコンデンサのように時定数を持った素子を用いたフィルタを使用すると、元の信号波形がその時定数により鈍化し形が変化してしまうという問題があった。また、ツェナーダイオードやバリスタ等のパッシブなノイズ除去素子を用いた場合も、これらが持つ容量成分や非線形な特性により、波形が変化してしまうという場合があった。このように、フィルタにより元の信号から波形が変化してしまうと、スパイクノイズは除去できるものの、センシングに用いる波形の品質が劣化し、センシング精度が低下してしまうおそれがあった。
【０００５】
本発明の目的は、電気信号に含まれるスパイクノイズを元の波形形状を極力損なうことなく除去し得るノイズ除去回路およびノイズ除去方法を提供することにある。
【課題を解決するための手段】
【０００６】
本発明のノイズ除去回路は、電気信号からスパイク状の波形のノイズを除去するノイズ除去回路であって、前記電気信号が入力され、前記電気信号を増幅する信号増幅部と、前記電気信号の電圧に基づいて、前記信号増幅部における前記電気信号の増幅率を制御する増幅制御部と、を有し、前記増幅制御部は、前記電気信号の電圧が大きくなるほど前記信号増幅部の増幅率が小さくなるように制限することを特徴とする。
【０００７】
本発明にあっては、電気信号の電圧が大きいとき、増幅制御部により、信号増幅部の増幅率を制限するので、電気信号にスパイクノイズが含まれている場合には増幅率が抑えられ、スパイクノイズ部分の増幅量が小さくなる。これにより、信号増幅部から出力される信号ではスパイクノイズが小さく抑えられ、元の波形を劣化させることなく、スパイクノイズが除去された状態の信号が形成される。
【０００８】
前記ノイズ除去回路において、前記信号増幅部に、前記電気信号を増幅して出力する差動増幅回路を設け、前記増幅制御部に、前記電気信号に基づいて形成された制御信号を電流信号に変換する信号変換部と、該信号変換部からの前記電流信号に基づいて前記差動増幅回路の制御電流を変化させ、前記信号増幅部の増幅率を制御するカレントミラー回路と、を設け、前記増幅制御部により、前記差動増幅回路の出力が所定値を超えないように、前記カレントミラー回路によって前記制御電流を制御し、前記信号増幅部の増幅率を制限するようにしても良い。
【０００９】
また、当該ノイズ除去回路の前段に、前記電気信号から、そのリップル成分の中心値を電気信号の変化成分として抽出して出力する制御電圧発生回路と、前記制御電圧発生回路の出力信号の波形を上下反転させて出力する信号反転回路と、を配し、前記信号反転回路から前記制御信号を出力し前記信号変換部に入力するようにしても良い。
【００１０】
さらに、前記電気信号の電圧が所定値以上になると予見された場合には、前記増幅制御部により、前記信号増幅部の増幅率を低減させるようにしても良い。
【００１１】
本発明のノイズ除去方法は、電気信号からスパイク状の波形のノイズを除去するノイズ除去方法であって、前記電気信号を増幅して出力する差動増幅回路と、前記電気信号に基づいて形成された制御信号を電流信号に変換する信号変換部と、該信号変換部からの前記電流信号に基づいて前記差動増幅回路の制御電流を変化させ、前記信号増幅部の増幅率を制御するカレントミラー回路と、を使用し、前記差動増幅回路の出力が所定値を超えないように、前記電気信号の電圧が大きくなるほど前記信号増幅部の増幅率が小さくなるよう前記カレントミラー回路によって前記差動増幅回路の制御電流を制御し、前記差動増幅回路の増幅率を制限することにより前記ノイズを除去することを特徴とする。
【００１２】
本発明にあっては、電気信号の電圧が大きいとき、カレントミラー回路により、差動増幅回路の制御電流を変化させて差動増幅回路の増幅率を制限するので、電気信号にスパイクノイズが含まれている場合には増幅率が抑えられ、スパイクノイズ部分の増幅量が小さくなる。これにより、差動増幅回路から出力される信号ではスパイクノイズが小さく抑えられ、元の波形を劣化させることなく、スパイクノイズが除去された状態の信号が形成される。
【００１３】
また、本発明のモータ制御装置は、直流モータの電機子電流を検知し、その変化を電圧変化信号として出力する電流検出部と、該電流検出部の後段に配され、前記電機子電流に含まれるスパイク状の波形のノイズを除去するノイズ除去回路と、を有するモータ制御装置であって、前記ノイズ除去回路は、前記電圧変化信号を増幅する信号増幅部と、前記電圧変化信号に基づいて形成された制御信号が入力され、前記電圧変化信号の電圧に基づいて、前記信号増幅部における前記電圧変化信号の増幅率を制御する増幅制御部と、を有し、前記増幅制御部は、前記電圧変化信号の電圧が大きくなるほど前記信号増幅部の増幅率が小さくなるように制限することを特徴とする。
【００１４】
本発明にあっては、ノイズ除去回路において、電圧変化信号の電圧が大きいとき、増幅制御部により信号増幅部の増幅率を制限するので、電圧変化信号にスパイクノイズが含まれている場合には増幅率が抑えられ、スパイクノイズ部分の増幅量が小さくなる。これにより、信号増幅部から出力される信号ではスパイクノイズが小さく抑えられ、元の波形を劣化させることなく、スパイクノイズが除去された状態の信号が形成される。
【００１５】
前記モータ制御装置において、前記信号増幅部に、前記電圧変化信号を増幅して出力する差動増幅回路を設け、前記増幅制御部に、前記制御信号を電流信号に変換する信号変換部と、該信号変換部からの前記電流信号に基づいて前記差動増幅回路の制御電流を変化させ、前記信号増幅部の増幅率を制御するカレントミラー回路と、を設けても良い。
【発明の効果】
【００１６】
本発明のノイズ除去回路によれば、電気信号の電圧を増幅する信号増幅部と、電気信号の電圧に基づいて信号増幅部の増幅率を制御する増幅制御部と、を設け、電気信号の電圧が大きくなるほど信号増幅部の増幅率が小さくなるように制限するようにしたので、電気信号にスパイクノイズが含まれている場合には増幅率が抑えられ、スパイクノイズ部分の増幅量を小さくすることができる。このため、信号増幅部から出力される信号ではスパイクノイズが小さく抑えられ、元の波形を劣化させることなく、スパイクノイズを除去することが可能となる。
【００１７】
本発明のノイズ除去方法によれば、電気信号の電圧を増幅する差動増幅回路と、電気信号に基づいて形成された制御信号を電流信号に変換する信号変換部と、信号変換部からの電流信号に基づいて差動増幅回路の制御電流を変化させ、信号増幅部の増幅率を制御するカレントミラー回路と、を使用し、カレントミラー回路により、電気信号の電圧が大きくなるほど信号増幅部の増幅率が小さくなるように、差動増幅回路の制御電流を変化させて差動増幅回路の増幅率を制限するようにしたので、電気信号にスパイクノイズが含まれている場合には増幅率が抑えられ、スパイクノイズ部分の増幅量を小さくすることができる。このため、差動増幅回路から出力される信号ではスパイクノイズが小さく抑えられ、元の波形を劣化させることなく、スパイクノイズを除去することが可能となる。
【００１８】
本発明のモータ制御装置によれば、直流モータの電機子電流を検知し、その変化を電圧変化信号として出力する電流検出部と、電流検出部の後段に配され記電機子電流に含まれるスパイク状の波形のノイズを除去するノイズ除去回路と、を有するモータ制御装置にて、ノイズ除去回路に、電圧変化信号を増幅する信号増幅部と、電圧変化信号の電圧に基づいて信号増幅部の増幅率を制御する増幅制御部と、を設け、電圧変化信号の電圧が大きくなるほど信号増幅部の増幅率が小さくなるように、信号増幅部の増幅率を制限するようにしたので、電圧変化信号にスパイクノイズが含まれている場合には増幅率が抑えられ、スパイクノイズ部分の増幅量を小さくすることができる。このため、信号増幅部から出力される信号ではスパイクノイズが小さく抑えられ、元の波形を劣化させることなく、スパイクノイズを除去することができ、モータの制御精度の向上を図ることが可能となる。
【図面の簡単な説明】
【００１９】
【図１】本発明の一実施形態であるノイズ除去回路の構成を示すブロック図である。
【図２】電流検出部からの出力信号の一例である。
【図３】制御電圧発生回路における処理を示す説明図である。
【図４】ＣＶ反転回路おける処理を示す説明図である。
【図５】ノイズ除去回路の作用を示す説明図である。
【図６】ノイズ除去回路の内部構成を示す説明図である。
【図７】ノイズ除去回路における実際のノイズ除去処理効果を示す説明図である。
【発明を実施するための形態】
【００２０】
以下、本発明の実施の形態を図面に基づいて詳細に説明する。図１は、本発明の一実施形態であるノイズ除去回路１の構成を示すブロック図であり、本発明によるノイズ除去方法も当該回路にて実施される。ノイズ除去回路１は、例えば、車両のパワーウインド用モータの動作制御装置に使用され、モータ電流（電機子電流）に含まれるスパイクノイズを元の波形形状を維持しつつ除去する。これにより、モータ電流中から精度良く電流リップルをデジタル信号化して抽出できるようになり、ホールＩＣ等の回転検出部材を用いることなく、ＤＣモータの回転数や回転方向等を検出することが可能となる。
【００２１】
ノイズ除去回路１は、電源２からブラシ付きＤＣモータ３（以下、モータ３と略記する）に電力を供給する電源ライン４上に配置される。電源ライン４にはシャント抵抗５が設けられており、ノイズ除去回路１は、シャント抵抗５の前後（電源２側とモータ３側）に接続される。ノイズ除去回路１の後段には、たとえば、スパイクノイズが除去された電流リップル信号からリップル成分のみを抽出し、矩形波の形で出力する図示しないリップル検出装置が接続される。モータ３の駆動制御装置は、ノイズ除去回路１や前述のリップル検出装置などを備え、リップル検出装置から出力された矩形波に基づき、モータ３の回転数や回転方向等を算出し、モータ３の動作を制御する。
【００２２】
図１に示すように、ノイズ除去回路１の前段には、シャント抵抗５との間に、電流検出部（信号検出部）６と、制御電圧（ＣＶ：Control Voltage）発生回路７およびＣＶ反転回路（信号反転回路)８が設けられている。ノイズ除去回路１には、電流検出部６から電圧変化信号Ｓ１が、また、ＣＶ反転回路８からゲイン制御信号ＣＶinがそれぞれ入力される。ノイズ除去回路１は、ゲイン制御信号ＣＶinを用いて、電圧変化信号Ｓ１からスパイクノイズを除去した上でそれを増幅し、波形調整信号Ｖoutとして出力する。なお、ノイズ除去回路１の前段の制御電圧発生回路７およびＣＶ反転回路（信号反転回路)８、または、これらと電流検出部６を含む構成をノイズ除去回路と考えても良い。
【００２３】
電流検出部６は、シャント抵抗５の前後の電圧差（電圧降下）を検出してモータ駆動電流の電圧を検知する一方、その変化を電圧変化信号（電気信号）Ｓ１として出力する。図２は、電流検出部６からの出力信号の一例である。電流検出部６では、電源電圧に基づくバイアス電圧Ｖoff1を基準として、シャント抵抗５の前後の電圧差が差動増幅された形で出力される。図２に示すように、電圧変化信号Ｓ１には、スパイクノイズなどのノイズ成分と電流リップル成分が含まれた状態となっており、電流検出部６からはこの状態の電圧信号が出力され、ノイズ除去回路１と制御電圧発生回路７に送られる。
【００２４】
図３は制御電圧発生回路７における処理を示す説明図、図４はＣＶ反転回路８おける処理を示す説明図である。制御電圧発生回路７は、ローパスフィルタ２１を用いることにより、電流検出部６より入力された電圧変化信号Ｓ１（図２）から、電流リップル成分の中心値をモータ駆動電流の変化成分として抽出し（図３のｆｖ(t)）、元制御電圧ＣＶ０として出力する。元制御電圧ＣＶ０はＣＶ反転回路８に入力され、図４に示すように、信号の上下が反転され、ゲイン制御信号ＣＶinが出力される。元制御電圧ＣＶ０を上下反転させたゲイン制御信号ＣＶin（電圧Ｖcvの）は、その後、ノイズ除去回路１に入力される。
【００２５】
ここで、図５に示すように、電圧変化信号Ｓ１をそのまま増幅して矩形波信号を形成すると、スパイクノイズも同様に増幅され、図５（ａ）のような信号が形成されてしまう。その際、前述のように、時定数を持ったフィルタ等を使用すると、スパイクノイズは除去されるが信号波形が鈍化し、信号継続時間が正確に把握できない。そこで、ノイズ除去回路１では、元制御電圧ＣＶ０を反転させたゲイン制御信号ＣＶinを用い、ノイズ除去回路１内に配した可変利得増幅回路を制御し、元の波形形状を維持しつつスパイクノイズを除去する。
【００２６】
図６は、ノイズ除去回路１の内部構成を示す説明図である。ノイズ除去回路１は、図１,６に示すように、電圧変化信号Ｓ１が入力される差動増幅回路部（信号増幅部）１１と、差動増幅回路部１１における増幅率（利得）を制御する増幅制御部１２とから構成されている。差動増幅回路部１１は、増幅制御部１２によって、差動増幅回路に流れるテール電流（制御電流）を制御することにより、その増幅率が調整可能な可変利得増幅回路である。増幅制御部１２には、制御電圧ＣＶinが入力されるＶ／Ｉ変換部（信号変換部）１３と、カレントミラー回路部１４と、が設けられており、カレントミラー回路部１４への入力電流を制御することにより、差動増幅回路部１１の利得（ゲイン）を調整する。また、ノイズ除去回路１には、差動増幅回路部１１の後段に、スパイクノイズが除去された信号を増幅し波形調整信号Ｖoutとして出力する増幅出力回路部１５が設けられている。
【００２７】
ノイズ除去回路１に入力されたゲイン制御信号ＣＶinは、Ｖ／Ｉ変換部１３にて電流信号に変換され、カレントミラー回路部１４に入力される。この場合、ゲイン制御信号ＣＶin（Ｖcv）は、元制御電圧ＣＶ０を上下反転させた形となっており、元制御電圧ＣＶ０が大きい場合は小さく、小さい場合は大きい信号となっている。したがって、カレントミラー回路部１４に入力される電流値も、元制御電圧ＣＶ０が大きいほど小さく、小さいほど大きくなる。このため、差動増幅回路部１１のテール電流Ｉｃ（図６参照）も同様に増減し、差動増幅回路部１１におけるゲインは、元制御電圧ＣＶ０が大きいときは抑えられ、小さいときは増加する。
【００２８】
ノイズ除去回路１において、図５（ａ）の信号から所定値を超えるノイズを除去したい場合、その閾値となるレベル（図５のΔＶ limit：所定値）と、それを制御するためのテール電流Ｉｃ（Ｉｃ limit，図６参照）の関係は次のように近似される。
ΔＶ limit ＝（Ｉｃ limit／２）× Ｒｃ ・・・・・（１）
（Ｒｃ：差動増幅回路部１１の電源（Ｖｃｃ）側抵抗，図６参照）
なお、ΔＶ limitは、本来の信号に影響がないように、ΔＶ+/-との関係をΔＶ limit ＞ ΔＶ+/- となるように調整することが好ましい。
【００２９】
一方、テール電流Ｉｃは、ゲイン制御信号ＣＶin（Ｖcv）をＶ／Ｉ変換部１３にて変換した電流信号と同値であり（カレントミラー回路部１４の作用）、次のように表される。
Ｉｃ limit ＝ Ｖcv／Ｒｆ・・・・・・・・・・・・（２）
（Ｒｆ：Ｖ／Ｉ変換部１３のカレントミラー回路部前段の抵抗，図６参照）
【００３０】
上記（１）（２）式より、ΔＶ limitは次のように表すことができる。
ΔＶ limit ＝Ｖcv × Ｒｃ／（２Ｒｆ）
したがって、ΔＶ limitは、Ｖcvによって変化し、Ｖcvが小さい場合（スパイクノイズを含み、電圧変化信号Ｓ１の電圧が大きく、元制御電圧ＣＶ０が大きくなる場合）は、ΔＶ limitが小さくなり、ゲインが抑えられる。つまり、ノイズ除去回路１では、差動増幅回路部１１の出力がΔＶ limitよりも大きくならないように、Ｉｃ limitによって差動増幅回路部１１の増幅率が制限される。また、この場合のΔＶ limitは、元制御電圧ＣＶ０が大きくなるほど小さくなるように制御される。これにより、電圧変化信号Ｓ１におけるスパイクノイズ部分のみゲインが絞られ、形成される矩形波信号も図５（ｂ）のような形となり、元の波形形状を維持しつつスパイクノイズが除去される。
【００３１】
図３に示すように、電圧変化信号Ｓ１は、ノイズが大きくなると、電流リップル成分の中心値を抽出した元制御電圧ＣＶ０（図３のｆｖ(t)）も大きくなる。また、スパイクノイズは、電流値が大きいが現出しやすい傾向がある。そこで、このような電圧変化信号Ｓ１をノイズ除去回路１に入力すると、元制御電圧ＣＶ０が大きいほど、すなわち、スパイクノイズが多く含まれノイズが大きい場合ほどゲインが抑えられる。一方、元制御電圧ＣＶ０が小さいとき、すなわち、ノイズが少ないときはゲインが増大する。したがって、ノイズ除去回路１から出力される信号ではスパイクノイズは小さく抑えられ、波形調整信号Ｖoutとしてスパイクノイズが除去された形の信号が出力される。
【００３２】
このように、本発明によるノイズ除去回路１では、通常、定電流にて使用されることが多いカレントミラー回路をアクティブに使用し、差動増幅回路部１１に流れるテール電流Ｉｃの電流量を制限し、差動増幅回路部１１のゲインを制御する。その際、カレントミラー回路部１４に対し、ゲイン制御信号ＣＶinとして、制御対象となる電圧変化信号Ｓ１から抽出した元制御電圧ＣＶ０の反転信号を入力する。これにより、電圧変化信号Ｓ１に応じてテール電流Ｉｃが変化し、差動増幅回路部１１のゲインが制御される。そして、電圧変化信号Ｓ１にスパイクノイズが含まれている場合、テール電流Ｉｃを小さくして増幅率を制限する。
【００３３】
このため、スパイクノイズが含まれている場合には、そのときのゲインが抑えられ、スパイクノイズ部分の増幅量が小さくなる一方、スパイクノイズがない部分は増幅量が保持され、結果的に、図５（ｂ）のようなスパイクノイズが除去された信号が形成される。図７は、ノイズ除去回路１を用いた場合の実際のノイズ除去処理効果を示す説明図であり、図７（ｂ）では、同図（ａ）の波形を損なうことなく、そこに含まれていたスパイクノイズが除去されていることが分かる。したがって、本発明のノイズ除去回路１を用いることにより、電気信号である電圧変化信号Ｓ１に含まれるスパイクノイズを、元の波形形状を極力損なうことなく除去することができ、波形の劣化を防止することが可能となる。その結果、モータ電流中から精度良く電流リップルをデジタル信号化して抽出できるようになり、モータの制御精度の向上を図ることが可能となる。
【００３４】
本発明は前記実施形態に限定されるものではなく、その要旨を逸脱しない範囲で種々変更可能であることは言うまでもない。
たとえば、前述の実施の形態では、ゲイン制御信号ＣＶinとして、元制御電圧ＣＶ０の反転信号を使用しているが、元制御電圧ＣＶ０そのものを使用することも可能である。その場合は、元制御電圧ＣＶ０が大きいとき差動増幅回路部１１のゲインが小さくなるように、Ｖ／Ｉ変換部１３の出力を反転させたり、テール電流Ｉｃに対する差動増幅回路部１１の動作を逆にしたりするなどの措置を行う。
【００３５】
また、前述の実施の形態では、ゲイン制御信号ＣＶinの変化に応じてテール電流Ｉｃを変化させているが、ゲイン制御信号ＣＶinの変化からその増減を予測し、スパイクノイズが含まれる可能性が予見される場合は、アクティブにテール電流Ｉｃを制御しスパイクノイズを除去しても良い。たとえば、ゲイン制御信号ＣＶinが所定値以上となった場合や、ゲイン制御信号ＣＶinの微小時間における変化量が閾値を超えた場合（ＣＶinの微分係数が所定値以上となった場合など）には、スパイクノイズが入ってくる可能性が高いと判断し、別途設けた制御装置などによりテール電流Ｉｃを低下させるようにしても良い。
【産業上の利用可能性】
【００３６】
本発明によるノイズ除去回路およびノイズ除去方法は、モータの動作制御のみならず、電気信号におけるスパイクノイズ除去に広く適用可能である。たとえば、前述の実施の形態のようなパワーウインド用モータの動作制御のみならず、ワイパやパワーシート等の他の車載電動装置や、ブラシ付きモータを用いた家庭用電気製品等にも本発明は適用可能である。
【符号の説明】
【００３７】
１    ノイズ除去回路
２    電源
３    ブラシ付きＤＣモータ
４    電源ライン
５    シャント抵抗
６    電流検出部
７    制御電圧発生回路
８    ＣＶ反転回路
１１    差動増幅回路部
１２    増幅制御部
１３    Ｖ／Ｉ変換部
１４    カレントミラー回路部
１５    増幅出力回路部
２１    ローパスフィルタ
ＣＶ０   元制御電圧
ＣＶin  ゲイン制御信号
Ｉｃ    テール電流
Ｓ１    電圧変化信号
Ｖcv    ゲイン制御信号電圧
Ｖout   波形調整信号
【図１】
2019075900.tif 000003
【図２】
2019075900.tif 000004
【図３】
2019075900.tif 000005
【図４】
2019075900.tif 000006
【図５】
2019075900.tif 000007
【図６】
2019075900.tif 000008
【図７】
2019075900.tif 000009